(57)【要約】【課題】通常動作の停止中であっても、外部装置からの非接触給電を元に、その給電量を抑えつつ、外部装置との非接触通信を良好に行うことが可能な通信装置を提供する。【解決手段】通信装置１は、外部装置１００との非接触通信を制御する通信制御部２１と、各種機能実行を制御するメイン制御部１１と、通信ノード４，５とを備える。これら三者は、主電源である第１電源電圧Ｖｃｃにより動作可能であって相互にデータ通信可能である。通信装置１は、外部装置１００から受電された電力を元に第２電源電圧Ｖｎを生成する給電回路２４を備え、通信制御部２１及び通信ノード４，５は第２電源電圧Ｖｎによっても動作可能である。メイン制御部１１の起動時に通信制御部２１がデータ通信を実行している場合、メイン制御部１１は、通信ラインＬに設けられたスイッチ部１０によって、メイン制御部１１と他のデータ通信対象とのデータ通信を遮断する。【選択図】図１
2015126512.tif 000002
【特許請求の範囲】
【請求項１】
通信装置であって、
当該通信装置を動作させるための第１電源電圧を生成する第１電源部と、
外部装置と非接触通信を行うためのアンテナと、
前記アンテナにより前記外部装置から受電された電力を元に第２電源電圧を生成する第２電源部と、
前記第２電源電圧又は前記第１電源電圧の供給を受けて動作し、前記アンテナを介した外部装置との非接触通信を制御し、且つ特定のデータ通信方式にて他のデータ通信対象とデータ通信が可能に構成された通信制御部と、
前記第１電源電圧の供給を受けて動作し、当該通信装置が備える機能の実行を制御し、且つ前記特定のデータ通信方式にて他のデータ通信対象とデータ通信が可能に構成された主制御部と、
前記第１電源電圧又は前記第２電源電圧により動作可能であって、前記特定のデータ通信方式にて他のデータ通信対象とデータ通信が可能に構成された通信ノードと、
前記通信制御部、前記主制御部、及び前記通信ノードが相互に前記特定のデータ通信方式にてデータ通信可能となるようにこれらを相互に接続する通信ラインと、
前記通信ラインに設けられ、前記主制御部と他のデータ通信対象との間のデータ通信を遮断するためのスイッチ部と、
前記第１電源電圧の供給を受けて動作し、前記スイッチ部を制御するスイッチ制御部と、
を備え、
前記第２電源部は、前記アンテナにより前記外部装置から電力が受電された場合、前記第２電源電圧を前記通信制御部及び前記通信ノードへ供給可能に構成されており、
前記スイッチ制御部は、前記主制御部の起動時に前記通信制御部と前記通信ノードとの間でデータ通信が実行されている場合、前記スイッチ部により前記通信ラインを遮断させる
ことを特徴とする通信装置。
【請求項２】
請求項１に記載の通信装置であって、
前記スイッチ制御部は、前記主制御部の起動時に前記通信制御部と前記通信ノードとの間でデータ通信が実行されていたことにより前記スイッチ部により前記通信ラインを遮断させた場合、前記通信制御部と前記通信ノードとのデータ通信が終了した後に、前記スイッチ部による前記通信ラインの遮断状態を解除させる
ことを特徴とする通信装置。
【請求項３】
請求項１又は請求項２に記載の通信装置であって、
前記スイッチ部は、前記主制御部が前記第１電源電圧の供給を受けずに動作を停止している間は前記通信ラインを遮断した状態に維持されるよう構成されている
ことを特徴とする通信装置。
【請求項４】
請求項１〜請求項３の何れか１項に記載の通信装置であって、
前記通信制御部は、前記通信ノードと前記特定のデータ通信方式によるデータ通信を実行している間、データ通信を実行中であることを示す通信中情報を出力し、
前記スイッチ制御部は、前記主制御部の起動時に前記通信制御部から前記通信中情報が出力されている場合に、前記スイッチ部により前記通信ラインを遮断させる
ことを特徴とする通信装置。
【請求項５】
請求項１〜請求項４の何れか１項に記載の通信装置であって、
前記特定のデータ通信方式は、マスタースレーブ方式のデータ通信方式であり、
前記通信制御部は、前記第１電源電圧の供給を受けて動作している場合にデータ通信を開始する際は、前記特定のデータ通信方式においてスレーブとして動作し、前記第１電源電圧が供給されずに前記第２電源電圧の供給を受けて動作している場合にデータ通信を開始する際は、前記特定のデータ通信方式においてマスターとして動作する
ことを特徴とする通信装置。
【請求項６】
請求項１〜請求項５の何れか１項に記載の通信装置であって、
前記通信ノードは、データを記憶可能な記憶部を備え、
前記記憶部には、前記主制御部が当該通信装置が備える機能の実行を制御するために必要なデータ、及び前記主制御部が当該通信装置が備える機能の実行を制御することにより生じたデータ、のうち少なくとも一方が記憶されており、
前記第１電源部が前記第１電源電圧を生成していないときに前記第２電源部から前記第２電源電圧が前記通信制御部及び前記通信ノードに供給された場合、前記通信制御部は、前記外部装置との前記非接触通信の内容に基づいて、前記通信ノードとデータ通信を行うことにより前記記憶部に記憶されているデータの読み出し及び前記記憶部へのデータの書き込みのうち少なくとも一方を実行可能である
ことを特徴とする通信装置。
【発明の詳細な説明】
【技術分野】
【０００１】
本発明は、外部装置との間で非接触通信が可能な通信装置に関する。
【背景技術】
【０００２】
外部装置との間で非接触通信が可能な各種の通信装置が提供されている。非接触通信を用いることで、例えば、外部装置から通信装置内のメモリにアクセスしてデータの読み書きを行ったり、外部装置から通信装置に対して機能実行を指示したりすることが可能となる。なお、非接触通信方式としては、例えばＮＦＣ（Near Field Communication；近距離無線通信）が知られている。
【０００３】
このような通信装置においては、たとえ電源がオフされていたり電源コンセントが抜かれていたりするなどして通常動作を停止している状態であっても、必要に応じて外部装置との非接触通信を実行できると便利である。
【０００４】
特許文献１には、電池が装着されていない端末装置に対して外部装置から非接触給電を行うことによって、その給電電力により端末装置を通常通り起動させて必要な処理を実行させる技術が記載されている。
【先行技術文献】
【特許文献】
【０００５】
【特許文献１】特開２０１２−１４４２２号公報
【発明の概要】
【発明が解決しようとする課題】
【０００６】
しかし、特許文献１に記載の技術では、端末装置を通常動作時と同じように起動・動作させるのに必要な電力を、非接触給電によって外部装置から供給する必要がある。
そのため、電力供給源となる外部装置が例えば携帯電話やスマートフォンなどの電力供給能力の低い装置であったり、電力供給対象の装置が携帯電話のような小型の端末装置ではなく比較的大きな通信装置であってその通常動作に多くの電力を必要としたりする場合は、電力供給対象に対してその通常動作に必要な電力を十分に供給できない可能性がある。
【０００７】
本発明は上記課題に鑑みなされたものであり、通常動作の停止中であっても、外部装置からの非接触給電を元に、その給電量を抑えつつ、その外部装置との非接触通信を良好に行うことが可能な通信装置を提供することを目的とする。
【課題を解決するための手段】
【０００８】
上記課題を解決するためになされた本発明は、通信装置であって、第１電源部と、アンテナと、第２電源部と、通信制御部と、主制御部と、通信ノードと、通信ラインと、スイッチ部と、スイッチ制御部とを備える。
【０００９】
第１電源部は、当該通信装置を動作させるための第１電源電圧を生成する。アンテナは、外部装置と非接触通信を行うために備えられている。第２電源部は、アンテナにより外部装置から受電された電力を元に第２電源電圧を生成する。通信制御部は、第２電源電圧又は第１電源電圧の供給を受けて動作する。通信制御部は、アンテナを介した外部装置との非接触通信を制御し、且つ特定のデータ通信方式にて他のデータ通信対象とデータ通信が可能に構成されている。主制御部は、第１電源電圧の供給を受けて動作する。主制御部
は、当該通信装置が備える機能の実行を制御し、且つ上記特定のデータ通信方式にて他のデータ通信対象とデータ通信が可能に構成されている。通信ノードは、第１電源電圧又は第２電源電圧により動作可能であって、上記特定のデータ通信方式にて他のデータ通信対象とデータ通信が可能に構成されている。通信ラインは、通信制御部、主制御部、及び通信ノードが相互に上記特定のデータ通信方式にてデータ通信可能となるようにこれらを相互に接続するために備えられている。スイッチ部は、通信ラインにおいて、主制御部と他のデータ通信対象との間のデータ通信を遮断するために設けられている。スイッチ制御部は、第１電源電圧の供給を受けて動作し、スイッチ部を制御する。
【００１０】
第２電源部は、アンテナにより外部装置から電力が受電された場合、第２電源電圧を通信制御部及び通信ノードへ供給可能に構成されている。スイッチ制御部は、主制御部の起動時に通信制御部と通信ノードとの間でデータ通信が実行されている場合、スイッチ部により通信ラインを遮断させる。
【００１１】
本発明の通信装置によれば、第１電源部が動作停止中であっても、外部装置との非接触通信を実行できる。しかも、外部装置からの受電電力は、通信ノードを動作可能とするために通信ノードには供給されるが、少なくとも主制御部には供給されない。つまり、第２電源電圧の供給対象は、第１電源電圧の供給対象の全てではなく、第１電源電圧の供給対象よりも限定的である。そのため、外部装置からの受電量を抑えつつ、通信ノードを動作させることができる。これにより、第１電源部の動作停止中であっても、外部装置から当該通信装置へ非接触通信により良好にアクセス（特に通信ノードへのアクセス）することができる。
【００１２】
しかも、外部装置との非接触通信中に第１電源部から第１電源電圧が供給されて主制御部が起動した場合は、スイッチ部により通信ラインが遮断されて主制御部から他のデータ通信対象へのアクセスが遮断される。これにより、既に実行中のデータ通信と起動した主制御部からのデータとの衝突が抑止され、既に実行中のデータ通信を良好に維持できる。
【図面の簡単な説明】
【００１３】
【図１】実施形態の複合機１の概略構成を示す説明図である。
【図２】複合機１の動作例を示す説明図である。
【図３】メイン制御処理を示すフローチャートである。
【図４】ＮＦＣ制御処理を示すフローチャートである。
【図５】ＮＦＣ制御処理の他の実施例を示すフローチャートである。
【発明を実施するための形態】
【００１４】
以下に、本発明の好適な実施形態を図面に基づいて説明する。
（１）複合機１の構成
図１に示す本実施形態の複合機１は、プリンタ機能、電話機能などの複数の機能を有する多機能周辺装置である。複合機１は、無線ＬＡＮ及びＮＦＣの２種類の無線通信方式による無線通信機能を備えている。無線ＬＡＮは、例えばＩＥＥＥ８０２．１１ａ／ｂ／ｇ／ｎの規格で定められる通信方式等であり、２．４ＧＨｚ帯又は５ＧＨｚ帯の周波数帯域の電波が用いられる。ＮＦＣは、通信可能距離が約１０ｃｍ程度に限定された近距離無線通信（非接触通信）であり、例えば１３．５６ＭＨｚの周波数帯域の電波が用いられる。複合機１は、ＮＦＣによる無線通信（以下「ＮＦＣ通信」という）の機能を持った外部の通信機器との間で、ＮＦＣ通信が可能である。本実施形態では、ＮＦＣ通信が可能な通信機器の一例として、図１に示すスマートフォン１００を例に挙げて説明する。
【００１５】
複合機１は、より具体的には、図１に示すように、制御回路２、ＮＦＣ通信部３、ＥＥＰＲＯＭ４、カートリッジＩＣ５、無線ＬＡＮ通信部６、プリンタ部７、通信回線接続部
８、電源回路９、及びシリアルライン遮断スイッチ（以下「遮断スイッチ」と略す）１０を備えている。
【００１６】
電源回路９は、外部から入力される電力（例えば商用ＡＣ１００Ｖの電力）を整流・変圧等して、複合機１を動作させるための主電源である第１電源電圧Ｖｃｃを生成する。電源回路９で生成された第１電源電圧Ｖｃｃは、制御回路２やＮＦＣ通信部３、ＥＥＰＲＯＭ４、カートリッジＩＣ５などの、複合機１内の各部に供給される。
【００１７】
制御回路２は、複合機１が有する各種機能を制御する。制御回路２は、メイン制御部１１と、シリアル通信Ｉ／Ｆ（インタフェース）１２とを備えている。また、制御回路２は、電力や信号が入力又は出力されるポートとして、シリアルポート１３、主電源入力ポート１４、割込ポート１５、及びスイッチ制御ポート１６を備えている。
【００１８】
シリアルポート１３には、シリアル通信の通信バスであるシリアルラインＬが接続されている。主電源入力ポート１４には、電源回路９から第１電源電圧Ｖｃｃが入力される。制御回路２は、電源回路９から第１電源電圧Ｖｃｃが入力されているときに、その第１電源電圧Ｖｃｃを電源として動作する。
【００１９】
割込ポート１５には、ＮＦＣ通信部３からの割り込みが入力される。ＮＦＣ通信部３から割込ポート１５に入力される割り込みは、実際は、Ｈ（Ｈｉｇｈ）レベル又はＬ（Ｌｏｗ）レベルのステート通知信号Ｓｔである。割り込みが入力されるとは、ステート通知信号ＳｔがＨレベルになることを意味する。
【００２０】
スイッチ制御ポート１６からは、遮断スイッチ１０へスイッチ制御信号Ｓｓが出力される。スイッチ制御信号Ｓｓは、Ｈレベル又はＬレベルの二値信号である。
制御回路２において、シリアル通信Ｉ／Ｆ１２は、ＮＦＣ通信部３やその他の通信対象の通信ノードとのシリアル通信によるデータ通信を行うための通信インタフェースであり、シリアルポート１３に接続されている。シリアル通信のデータは、シリアル通信Ｉ／Ｆ１２及びシリアルポート１３を介して送受信される。
【００２１】
制御回路２は、シリアルラインＬによって、ＮＦＣ通信部３、ＥＥＰＲＯＭ４、及びカートリッジＩＣ５を含む複数のデータ通信対象と相互に接続されている。そのため、制御回路２は、ＮＦＣ通信部３、ＥＥＰＲＯＭ４、及びカートリッジＩＣ５を含む複数のデータ通信対象とシリアルラインＬを通じて相互にシリアル通信可能である。
【００２２】
本実施形態のシリアル通信は、マスタースレーブ方式のシリアル通信である。制御回路２は、マスタースレーブ方式のシリアル通信において、マスターとして動作する。これに対し、他の各通信ノードは、スレーブとして動作する。但し、ＮＦＣ通信部３は、通常はスレーブとして動作するが、特定の場合においては、マスターとして動作する。つまり、ＮＦＣ通信部３は、シリアル通信において、マスターとしてもスレーブとしても動作可能である。なお、マスタースレーブ方式の通信方式には、例えばＩ２Ｃ（Inter-Integrated
Circuit）、ＵＳＢ（Universal Serial Bus）、ＳＤＩＯ（Secure Digital Input/Output Card）、ＳＰＩ（Serial Peripheral Interface）などの、種々の規格がある。
【００２３】
制御回路２において、メイン制御部１１は、ＣＰＵやメモリ等を有するマイクロコンピュータを少なくとも含む。メイン制御部１１は、シリアル通信Ｉ／Ｆ１２を介したシリアル通信の制御や、無線ＬＡＮ通信部６の制御、プリンタ部７の制御、通信回線接続部８の制御などを行う。また、メイン制御部１１は、ＮＦＣ通信部３から入力される割り込み（ステート通知信号Ｓｔ）に基づく各種制御や、スイッチ制御信号Ｓｓの出力制御なども行う。
【００２４】
無線ＬＡＮ通信部６は、無線ＬＡＮによる外部通信機器との通信を実行する。プリンタ部７は、各種の被記録媒体に画像を形成（印刷）する。通信回線接続部８は、外部の通信回線に接続され、電話やファクシミリ等の通信を実行する。
【００２５】
ＮＦＣ通信部３は、スマートフォン１００とＮＦＣ通信を行うための無線通信モジュールである。ＮＦＣ通信部３は、複合機１の内部における上部側に搭載され、ＮＦＣ通信用のループアンテナ３ａが接続されている。スマートフォン１００をループアンテナ３ａの上部近傍の所定領域内に近接させる（かざす）と、複合機１とスマートフォン１００とのＮＦＣ通信が可能となり、特定の通信手順で無線通信が行われる。
【００２６】
なお、本明細書において、スマートフォン１００について、複合機１に対して「近接させる」あるいは「かざす」などというときは、特に断りのない限り、通信機器と複合機１とが相互にＮＦＣ通信可能となるような位置関係にされることを意味するものとする。
【００２７】
ＮＦＣ通信部３は、通信制御部２１と、ＮＦＣＩ／Ｆ２２と、シリアル通信Ｉ／Ｆ２３と、給電回路２４とを備えている。また、ＮＦＣ通信部３は、電力や信号が入力又は出力されるポートとして、シリアルポート２５、主電源入力ポート２６、給電ポート２７、及びステート通知ポート２８を備えている。
【００２８】
シリアルポート２５には、シリアルラインＬが接続されている。主電源入力ポート２６には、電源回路９からの電源供給路が接続されており、電源回路９から第１電源電圧Ｖｃｃが入力される。ＮＦＣ通信部３は、電源回路９から第１電源電圧Ｖｃｃが入力されると、その第１電源電圧Ｖｃｃを電源として動作する。給電ポート２７からは、給電回路２４で生成された第２電源電圧Ｖｎ（詳細は後述）が出力される。ステート通知ポート２８からは、制御回路２へ割り込み（ステート通知信号Ｓｔ）が発行（出力）される。
【００２９】
通信制御部２１は、スマートフォン１００がかざされると、シリアル通信の実行の可能性があるため、制御回路２へ割り込みを発行する（ステート通知信号ＳｔをＨレベルとする）。
【００３０】
ＮＦＣ通信部３において、シリアル通信Ｉ／Ｆ２３は、制御回路２やその他のシリアル通信によるデータ通信を行うための通信インタフェースであり、シリアルポート２５に接続されている。シリアル通信のデータは、シリアル通信Ｉ／Ｆ１２及びシリアルポート２５を介して送受信される。ＮＦＣＩ／Ｆ２２は、スマートフォン１００とＮＦＣ通信を行うための無線通信インタフェースであり、ループアンテナ３ａが接続されている。
【００３１】
給電回路２４は、スマートフォン１００が複合機１にかざされることによってループアンテナ３ａに誘起される誘導起電力（つまり通信機器から受電された電力）をもとに、直流の第２電源電圧Ｖｎを生成する。第２電源電圧Ｖｎの値は、本実施形態では、電源回路９が生成する第１電源電圧Ｖｃｃと同じ値である。ただし、第２電源電圧Ｖｎの値は、その供給対象であるＥＥＰＲＯＭ４やカートリッジＩＣ５などのシリアル通信の通信ノードが動作可能な電圧である限り、適宜決めることができる。
【００３２】
ループアンテナ３ａによりスマートフォン１００から電力が受電された場合、給電回路２４は、第２電源電圧Ｖｎを生成して通信制御部２１や各Ｉ／Ｆ２２，２３などのＮＦＣ通信部３内の各部へ供給する。そのため、ＮＦＣ通信部３に電源回路９から第１電源電圧Ｖｃｃが供給されていなくても、スマートフォン１００がかざされて第２電源電圧Ｖｎが生成されれば、通信制御部２１が動作を開始する。
【００３３】
給電回路２４が生成した第２電源電圧Ｖｎは、給電ポート２７から外部（複合機１内におけるＮＦＣ通信部３の外部）へ出力可能である。本実施形態では、給電回路２４から外部への第２電源電圧Ｖｎの出力は、通信制御部２１により制御される。給電ポート２７は、第２ダイオードＤ２を介してＥＥＰＲＯＭ４やカートリッジＩＣ５などの通信ノードの各電源入力ポート３２，４２に接続されている。第２電源電圧Ｖｎが給電ポート２７から出力されると、ＥＥＰＲＯＭ４やカートリッジＩＣ５などの通信ノードにその第２電源電圧Ｖｎが供給される。
【００３４】
通信制御部２１は、ＣＰＵやメモリ等を有するマイクロコンピュータを少なくとも含む。通信制御部２１は、シリアル通信Ｉ／Ｆ２３を介したシリアル通信の制御や、ＮＦＣＩ／Ｆ２２を介したＮＦＣ通信の制御、給電回路２４の制御（例えば第２電源電圧Ｖｎの外部への出力制御）を行う。通信制御部２１は、シリアル通信の制御において、通常は自身をスレーブとして動作させるが、特定の状態では、自身をマスターに設定してマスターとして動作させる。通信制御部２１は、スマートフォン１００の近接有無に基づく、ステート通知信号Ｓｔの制御も行う。
【００３５】
ＥＥＰＲＯＭ４は、記憶内容を電気的に書き換え可能な不揮発性のメモリである。本実施形態では、ＥＥＰＲＯＭ４には、制御回路２のメイン制御部１１が各種機能の実行を制御するために必要な制御情報や、メイン制御部１１が各種機能の実行を制御することにより生じた機能実行情報などの、各種の情報が記憶される。
【００３６】
制御情報としては、例えば、製品設定情報、無線ＬＡＮ通信における中継装置であるアクセスポイント（図示略）との接続情報、罫線調整・色補正情報などが挙げられる。機能実行情報としては、例えば、電話帳情報、故障時のエラー情報、純正カートリッジの使用履歴などが挙げられる。
【００３７】
ＥＥＰＲＯＭ４は、シリアル通信の通信ノードとして動作可能である。即ち、ＥＥＰＲＯＭ４は、シリアルポート３１を備えている。このシリアルポート３１には、シリアルラインＬが接続されている。そのため、ＥＥＰＲＯＭ４は、シリアルポート３１を介して、制御回路２やＮＦＣ通信部３などとシリアル通信を行うことができる。ＥＥＰＲＯＭ４は、シリアル通信においてスレーブとして動作する。ＥＥＰＲＯＭ４に対する各種情報の書き込みや読み出しは、シリアル通信によって（つまりシリアルラインＬを通じて）行われる。
【００３８】
ＥＥＰＲＯＭ４は、電源入力ポート３２を備えている。電源入力ポート３２は、第１ダイオードＤ１を介して電源回路９に接続されていると共に、第２ダイオードＤ２を介してＮＦＣ通信部３の給電ポート２７に接続されている。つまり、ＥＥＰＲＯＭ４の電源入力ポート３２には、第１ダイオードＤ１を介して電源回路９から第１電源電圧Ｖｃｃが供給可能であり、且つ、第２ダイオードＤ２を介してＮＦＣ通信部３から第２電源電圧Ｖｎが供給可能である。そのため、ＥＥＰＲＯＭ４は、第１電源電圧Ｖｃｃ及び第２電源電圧Ｖｎのうち少なくとも一方が供給されると動作を開始し、これにより上述のシリアル通信が可能な状態となる。
【００３９】
カートリッジＩＣ５は、プリンタ部７が印刷の際に用いるインク（又はトナー）カートリッジに搭載されている。なお、プリンタ部７がカラー印刷機能を備えておらず白黒印刷機能のみ備えている場合は、通常、インクカートリッジは１つであるため、カートリッジＩＣも１つである。一方、プリンタ部７がカラー印刷機能を備えている場合は、通常、インクカートリッジは複数あるため、カートリッジＩＣもその複数のインクカートリッジ毎に複数ある。本実施形態のプリンタ部７は、一例として、白黒印刷機能のみ備えているものとして説明する。
【００４０】
カートリッジＩＣ５は、情報を記憶可能なメモリを有しており、自身が搭載されているインクカートリッジに関する種々の情報をそのメモリに記憶させる。カートリッジＩＣ５のメモリに記憶される情報としては、例えば、インクカートリッジの型番情報やインク残量情報などがある。
【００４１】
カートリッジＩＣ５は、シリアル通信の通信ノードとして動作可能である。即ち、カートリッジＩＣ５は、シリアルポート４１を備えている。このシリアルポート４１には、シリアルラインＬが接続されている。そのため、カートリッジＩＣ５は、シリアルポート４１を介して、制御回路２やＮＦＣ通信部３などとシリアル通信を行うことができる。カートリッジＩＣ５は、シリアル通信においてスレーブとして動作する。カートリッジＩＣ５に対する各種情報の書き込みや読み出しは、シリアル通信によって（つまりシリアルラインＬを通じて）行われる。
【００４２】
カートリッジＩＣ５は、電源入力ポート４２を備えている。電源入力ポート４２は、第１ダイオードＤ１を介して電源回路９に接続されていると共に、第２ダイオードＤ２を介してＮＦＣ通信部３の給電ポート２７に接続されている。つまり、カートリッジＩＣ５の電源入力ポート４２には、第１ダイオードＤ１を介して電源回路９から第１電源電圧Ｖｃｃが供給可能であり、且つ、第２ダイオードＤ２を介してＮＦＣ通信部３から第２電源電圧Ｖｎが供給可能である。そのため、カートリッジＩＣ５は、第１電源電圧Ｖｃｃ及び第２電源電圧Ｖｎのうち少なくとも一方が供給されると動作を開始し、これにより上述のシリアル通信が可能な状態となる。
【００４３】
なお、第１ダイオードＤ１は、ＮＦＣ通信部３の給電ポート２７から出力される第２電源電圧Ｖｎが、本来の供給対象であるＥＥＰＲＯＭ４やカートリッジＩＣ５などの通信ノード以外の、他の第１電源電圧Ｖｃｃの供給対象へ、第１電源電圧Ｖｃｃの供給路を通じて供給されるのを遮断するために設けられている。
【００４４】
第２ダイオードＤ２は、電源回路９から出力される第１電源電圧Ｖｃｃが、第２電源電圧Ｖｎの供給路を介してＮＦＣ通信部３の給電ポート２７に入力される（逆流する）のを遮断するために設けられている。
【００４５】
シリアルラインＬには、制御回路２と他の通信ノードとの接続を遮断するための遮断スイッチ１０が設けられている。即ち、遮断スイッチ１０の一端側は制御回路２のシリアルポート１３に接続され、遮断スイッチ１０の他端側は、ＮＦＣ通信部３及び各通信ノード４，５のシリアルポートに接続されている。
【００４６】
そのため、遮断スイッチ１０がオンされている間は、制御回路２が他の通信ノードと接続されて相互にシリアル通信が可能であるが、遮断スイッチ１０がオフされている間は、制御回路２と他の通信ノードとの接続が遮断されて、制御回路２は他の通信ノードとのシリアル通信ができない。
【００４７】
遮断スイッチ１０のオン・オフは、制御回路２からのスイッチ制御信号Ｓｓによって制御される。スイッチ制御信号ＳｓがＬレベルの間は、遮断スイッチ１０はオフ状態となって、シリアルラインＬが遮断される。スイッチ制御信号ＳｓがＨレベルの間は、遮断スイッチ１０はオン状態となり、制御回路２が他の通信ノードとシリアル通信可能となる。
【００４８】
遮断スイッチ１０は、本実施形態では、いわゆるノーマリーオープンタイプのスイッチである。そのため、制御回路２に第１電源電圧Ｖｃｃが供給されずに制御回路２が動作を停止している間（即ちスイッチ制御信号ＳｓがＬレベルの間）はオフ状態となり、シリア
ルラインＬの遮断状態が維持される。
【００４９】
制御回路２のメイン制御部１１は、起動時に、ＮＦＣ通信部３から割り込みが発行されている場合は、遮断スイッチ１０のオフ状態を維持させる。そして、起動後、割り込みが解除された場合に、遮断スイッチ１０をオンさせる。制御回路２のメイン制御部１１は、起動時にＮＦＣ通信部３から割り込みが発行されていない場合は、遮断スイッチ１０をオンさせる。起動後、遮断スイッチ１０をオンさせた後は、再び割り込みが発行されたとしても遮断スイッチ１０のオン状態を継続させる。
【００５０】
なお、制御回路２、ＮＦＣ通信部３、ＥＥＰＲＯＭ４、カートリッジＩＣ５は、いずれも、パッケージ化された半導体集積回路により構成されている。
（２）スマートフォン１００の概略構成
スマートフォン１００は、携帯電話やメール機能などの一般的な携帯電話が備えている機能に加えて、インターネット接続機能を備え、さらに各種アプリケーションソフト（以下「アプリ」と略す）のインストールにより各種の機能を付加可能な、多機能携帯通信端末である。
【００５１】
スマートフォン１００は、無線ＬＡＮ通信及びＮＦＣ通信が可能である。そのため、スマートフォン１００は、複合機１との間でＮＦＣ通信により相互に通信可能である。また、スマートフォン１００は、他の通信機器と無線ＬＡＮ通信が可能である。
【００５２】
スマートフォン１００が有するアプリには、複合機１内のＥＥＰＲＯＭ４やカートリッジＩＣ５などに記憶されている各種情報をＮＦＣ通信を介して取得できるアプリ（以下「情報取得アプリ」ともいう）や、複合機１内のＥＥＰＲＯＭ４やカートリッジＩＣ５などへＮＦＣ通信を介して情報を書き込むことができるアプリ（以下「情報書込アプリ」ともいう）などが含まれる。これら各アプリを用いることで、例えば、複合機１から所望の情報を読み取って他の複合機へ書き込んだり、逆に他の複合機から読み取った情報を複合機１へ書き込んだりすることができる。しかも、本実施形態では、複合機１の主電源がオフ（つまり第１電源電圧Ｖｃｃが供給されていない）状態でも、スマートフォン１００を複合機１にかざすと、スマートフォン１００からの非接触給電により複合機１のＮＦＣ通信部３内で第２電源電圧Ｖｎが生成される。そのため、複合機１の主電源がオフ状態のまま、上記各アプリを使用することができる。
【００５３】
（３）複合機１の動作例
図２を用いて、複合機１の動作例を説明する。なお、図２では、説明の簡略化のため、複合機１が備える各構成要素のうち、動作例の説明に必要な構成要素を簡潔に図示している。
【００５４】
複合機１の電源コンセントが抜かれていて且つスマートフォン１００がかざされていないときは（図２（ａ）参照）、第１電源電圧Ｖｃｃ及び第２電源電圧Ｖｎは何れも生成されず、制御回路２及びＮＦＣ通信部３はいずれも動作を停止している。図２（ａ）は、その状態をイメージ的に示している。電源コンセントは挿入されているもののスイッチによって主電源がオフされている場合も、第１電源電圧Ｖｃｃは生成されない。
【００５５】
なお、本実施形態の複合機１は、動作モードとして、オフモードを備えている。具体的には、起動後、特定のオフモード条件が成立した場合に、電源回路９からの第１電源電圧Ｖｃｃの供給を完全に停止させることで、オフモードに移行する。ただし、オフモードでは、電源スイッチのオン・オフ検知やオフモード解除条件検知などの必要最小限の機能のみ、別途、二次電池やスーパーキャパシタなどのバックアップ電源（図示略）によって動作が継続される。そのため、オフモード中に電源スイッチがオンされたり、例えば電話や
ファクシミリの着信が発生するなどのオフモード解除条件が成立した場合は、オフモードが解除され、電源回路９が起動して通常動作に移行する。
【００５６】
各電源Ｖｃｃ、Ｖｎが生成されずに複合機１の動作が停止している状態では、割り込みは発行されておらず（つまりステート通知信号ＳｔはＬレベル）、スイッチ制御信号ＳｓはＬレベルで遮断スイッチ１０はオフされている。
【００５７】
このように複合機１の動作が停止している状態で、例えばスマートフォン１００が複合機１にかざされると、図２（ｂ）に示すように、ＮＦＣ通信部３において第２電源電圧Ｖｎが生成されることによりＮＦＣ通信部３が起動する。ＮＦＣ通信部３が起動すると、ＮＦＣ通信部３からＥＥＰＲＯＭ４やカートリッジＩＣ５などの通信ノードへ第２電源電圧Ｖｎが供給され、これによりＮＦＣ通信部３と通信ノードとのシリアル通信が可能となり、ひいてはスマートフォン１００と通信ノードとの間のＮＦＣ通信部３を介した通信が可能となる。この場合のシリアル通信では、ＮＦＣ通信部３は、マスターとして動作する。また、ＮＦＣ通信部３は、起動時、スマートフォン１００がかざされていることを検知すると、制御回路２へ割り込みを発行（ステート通知信号ＳｔをＨレベル）する。
【００５８】
図２（ｂ）に示す状態で、電源スイッチがオンされたりオフモード解除条件が成立したりすることで電源回路９が起動すると、図２（ｃ）に示すように、電源回路９から第１電源電圧Ｖｃｃが出力される。これにより制御回路２が起動する。制御回路２は、起動時、割り込みが発行されていることを検知すると、スイッチ制御信号ＳｓをＬレベルに維持して、遮断スイッチ１０をオフ状態に維持させる。
【００５９】
その後、スマートフォン１００が複合機１から離されて、ＮＦＣ通信およびＮＦＣ通信部３をマスターとするシリアル通信が行われなくなると、図２（ｄ）に示すように、ＮＦＣ通信部３は、割り込みを解除（ステート通知信号ＳｔをＬレベル）する。この割り込み解除により、制御回路２は、スイッチ制御信号ＳｓをＨレベルにして遮断スイッチ１０をオンさせる。
【００６０】
ＮＦＣ通信部３は、割り込みを解除すると、シリアル通信においてスレーブとしての動作を開始する。これにより、制御回路２、ＮＦＣ通信部３、及びＥＥＰＲＯＭ４は、互いにシリアル通信が可能となる。電源回路９の起動後にスマートフォン１００が複合機１から離されて第２電源電圧Ｖｎが生成されなくなっても、複合機１内の各部は、第１電源電圧Ｖｃｃにより引き続き通常動作可能である。
【００６１】
（４）複合機１で実行される各種制御処理
複合機１において、制御回路２のメイン制御部１１が実行するメイン制御処理、及びＮＦＣ通信部３の通信制御部２１が実行するＮＦＣ制御処理について、図３及び図４を用いて説明する。
【００６２】
（４−１）メイン制御処理
制御回路２のメイン制御部１１が実行するメイン制御処理について、図３を用いて説明する。メイン制御部１１では、第１電源電圧Ｖｃｃにより起動すると、ＣＰＵがメモリから図３のメイン制御処理のプログラムを読み込んで実行する。
【００６３】
メイン制御部１１のＣＰＵは、図３のメイン制御処理を開始すると、Ｓ１１０で、ＮＦＣ通信部３から割り込みが入力されているか否か、即ちステート通知信号ＳｔがＨレベルになっているか否か判断する。
【００６４】
Ｓ１１０で、割り込みが入力されている場合は（Ｓ１１０：ＹＥＳ）、Ｓ１２０で、ス
イッチ制御信号ＳｓのＬレベル状態を維持させることで、遮断スイッチ１０のオフ状態を維持させる。Ｓ１２０の処理後はＳ１１０に戻る。つまり、遮断スイッチ１０は、メイン制御部１１の起動時に割り込みが入力されていた場合は、その割り込みが解除されるまではオフ状態が維持される。Ｓ１１０で、割り込みが入力されていない場合は（Ｓ１１０：ＮＯ）、Ｓ１３０で、スイッチ制御信号ＳｓをＨレベルにすることにより遮断スイッチ１０をオンさせ、Ｓ１４０に進む。
【００６５】
Ｓ１４０では、ＮＦＣ通信部３から割り込みが入力されているか否か判断する。割り込みが入力されていない場合は（Ｓ１４０：ＮＯ）、Ｓ１７０で、他の処理（他の各種機能に関する処理。詳細は省略。）を実行して、Ｓ１４０に戻る。Ｓ１４０で、割り込みが入力されている場合は（Ｓ１４０：ＹＥＳ）、Ｓ１５０で、割り込みに対するＮＦＣ通信部３への返信をシリアル通信にて行う。Ｓ１６０では、ＮＦＣ通信部３とのデータ通信（シリアル通信）を実行して、Ｓ１４０に戻る。
【００６６】
（４−２）ＮＦＣ制御処理
ＮＦＣ通信部３の通信制御部２１が実行するＮＦＣ制御処理について、図４を用いて説明する。通信制御部２１では、第１電源電圧Ｖｃｃ又は第２電源電圧Ｖｎにより起動すると、ＣＰＵがメモリから図４のＮＦＣ制御処理のプログラムを読み込んで実行する。
【００６７】
通信制御部２１のＣＰＵは、図４のＮＦＣ制御処理を開始すると、Ｓ２１０で、シリアル通信における動作モードをスレーブに設定する。Ｓ２２０では、スマートフォンが近接されたか否か判断し、近接されたら（Ｓ２２０：ＹＥＳ）、Ｓ２３０で、制御回路２へ割り込みを発行する。つまり、ステート通知信号ＳｔをＨレベルにする。
【００６８】
Ｓ２４０では、割り込み発行に対して制御回路２から返信があったか否か判断する。制御回路２から返信があった場合は（Ｓ２４０：ＹＥＳ）、Ｓ２５０で、スマートフォンとのＮＦＣ通信を開始したか否か判断する。スマートフォンとのＮＦＣ通信が開始されていない場合は（Ｓ２５０：ＮＯ）、Ｓ２７０に進む。スマートフォンとのＮＦＣ通信が開始された場合は（Ｓ２５０：ＹＥＳ）、Ｓ２６０で、第１通信処理を実行する。第１通信処理は、スマートフォンとのＮＦＣ通信処理、及びそのＮＦＣ通信に伴って生じる制御回路２とのシリアル通信処理を含む。  Ｓ２７０では、スマートフォンが複合機１から離されたか否か判断する。この判断は、例えば、第２電源電圧Ｖｎが生成可能であるか否か、あるいはＮＦＣ通信が可能な状態であるか否か、などに基づいて行うことができる。スマートフォンが離されていない場合（即ちまだかざされている場合）は、Ｓ２５０に戻る。スマートフォンが離された場合は（Ｓ２７０：ＹＥＳ）、Ｓ２８０で、制御回路２への割り込みを解除する。つまり、ステート通知信号ＳｔをＬレベルにする。Ｓ２８０の処理の後は、Ｓ２２０に戻る。
【００６９】
Ｓ２４０で、割り込み発行に対する制御回路２からの返信がない場合は（Ｓ２４０：ＮＯ）、Ｓ２９０で、シリアル通信における動作モードをマスターに設定する。Ｓ３００では、スマートフォンとのＮＦＣ通信を開始したか否か判断する。スマートフォンとのＮＦＣ通信が開始されていない場合は（Ｓ３００：ＮＯ）、Ｓ３４０に進む。スマートフォンとのＮＦＣ通信が開始された場合は（Ｓ３００：ＹＥＳ）、Ｓ３１０で、給電回路２４を制御することにより給電回路２４で生成されている第２電源電圧Ｖｎを給電ポート２７から出力させる。つまり、第２電源電圧ＶｎをＮＦＣ通信部３の外部に供給する。スマートフォンとのＮＦＣ通信が開始されたということは、ＥＥＰＲＯＭ４やカートリッジＩＣ５などの通信ノードとのシリアル通信が必要となる可能性があるため、第２電源電圧Ｖｎの外部供給を開始するのである。
【００７０】
Ｓ３２０では、第２通信処理を実行する。第２通信処理は、スマートフォンとのＮＦＣ
通信処理、及びそのＮＦＣ通信に伴って生じる、ＥＥＰＲＯＭ４やカートリッジＩＣ５などの通信ノードとのシリアル通信処理を含む。Ｓ３３０では、第２電源電圧Ｖｎの外部供給を終了する。
【００７１】
Ｓ３４０では、Ｓ２７０と同様、スマートフォンが複合機１から離されたか否か判断する。スマートフォンが離されていない場合は、Ｓ３００に戻る。スマートフォンが離された場合は（Ｓ３４０：ＹＥＳ）、Ｓ３５０に進む。Ｓ３５０では、制御回路２への割り込みを解除する。Ｓ３５０の処理の後は、Ｓ２１０に戻る。
【００７２】
（５）実施形態の効果
以上説明した本実施形態の複合機１によれば、主電源がオフされたりオフモードであったりすること等により電源回路９が動作を停止していて第１電源電圧Ｖｃｃが生成されていない状態（以下「本体電源オフ状態」ともいう）であっても、スマートフォン１００とＮＦＣ通信が可能である。また、本体電源オフ状態であっても、外部の通信機器がかざされて電力が受電されると、第２電源電圧Ｖｎが通信ノードに供給される。そのため、ＮＦＣ通信部３は、本体電源オフ状態であっても、外部通信機器とのＮＦＣ通信及び他の通信ノードとのシリアル通信が可能である。
【００７３】
このような構成により、例えば、複合機１から電源コンセントが抜かれていたり、複合機１がオフモードになっていたり、複合機１が故障して制御回路２が動作できなくなっていたりしても、スマートフォン１００をかざすことで、ＥＥＰＲＯＭ４やカートリッジＩＣ５などの通信ノードとの間で情報の読み書きを行うことができる。
【００７４】
しかも、スマートフォン１００とのＮＦＣ通信中に電源回路９が起動して第１電源電圧Ｖｃｃが供給され、制御回路２のメイン制御部１１が起動した場合は、遮断スイッチ１０のオフ状態が維持され、制御回路２から他のシリアル通信対象へのシリアルラインＬを通じたアクセスは遮断される。
【００７５】
仮に、遮断スイッチ１０がないとすると、制御回路２が動作停止中も、ＮＦＣ通信部３と他の通信ノードとのシリアル通信のデータが制御回路２のシリアルポート１３に入力される（即ち、シリアルラインＬの電気的変化が入力される）。動作停止中であるにもかかわらずシリアルポート１３の電位が変化すると、制御回路２の内部回路に悪影響を及ぼすおそれがある。また、ＮＦＣ通信部３が他の通信ノードとシリアル通信実行中に制御回路２が起動した場合、マスターが複数存在することになり、マスター同士のデータの衝突が生じてしまう。
【００７６】
これに対し、本実施形態の複合機１は、シリアルラインＬ上に遮断スイッチ１０を備え、制御回路２がこの遮断スイッチ１０のオン・オフを適切に制御する。しかも本実施形態の遮断スイッチ１０は、ノーマリーオープンタイプのスイッチである。そのため、上記問題の発生を抑制することができる。
【００７７】
したがって、本実施形態の複合機１によれば、電源回路９が動作停止中であっても、スマートフォン１００からの給電量を抑えつつ、外部の通信機器から複合機１へＮＦＣ通信により良好にアクセス（特にＥＥＰＲＯＭ４やカートリッジＩＣ５等の通信ノードへアクセス）できる。そして、ＮＦＣ通信実行中に電源回路９が起動されても、少なくともその実行中は遮断スイッチ１０がオフに維持されるため、ＮＦＣ通信部３は実行中のＮＦＣ通信を引き続き良好に実行することができる。
【００７８】
制御回路２の起動時に遮断スイッチ１０のオフ状態が維持されても、スマートフォン１００が複合機１から離されたら、遮断スイッチ１０はオンされ、ＮＦＣ通信部３はスレー
ブに切り替わる。そのため、遮断スイッチ１０のオフ状態を維持する必要がなくなり次第、制御回路２は、迅速に他の通信ノードとのシリアル通信を開始することができる。
【００７９】
また、ＮＦＣ通信部３は、複合機１にスマートフォン１００がかざされている間は、制御回路２に対して割り込みを発生させ続けるようにしている。これにより、制御回路２は、自身の起動時に、ＮＦＣ通信部３がＮＦＣ通信を実行中あるいは実行する可能性がある状態であるかどうかを容易且つ適切に判断することができる。そして、その判断結果に基づいて遮断スイッチ１０を適切に制御することができる。
【００８０】
なお、本実施形態において、電源回路９は本発明の第１電源部の一例に相当し、給電回路２４は本発明の第２電源部の一例に相当し、メイン制御部１１は本発明の主制御部及びスイッチ制御部の一例に相当し、ＥＥＰＲＯＭ４及びカートリッジＩＣ５は本発明の通信ノードの一例に相当し、遮断スイッチ１０は本発明のスイッチ部の一例に相当し、Ｈレベルのステート通知信号Ｓｔ（つまり割り込み発行）は本発明の通信中情報の一例に相当する。
【００８１】
［他の実施形態］
（１）ＮＦＣ通信部３の通信制御部２１が実行するＮＦＣ制御処理としては、図４に示した処理内容以外にも種々の処理内容が考えられ、例えば図５に示すような処理内容を採用することもできる。図５のＮＦＣ制御処理について説明する。
【００８２】
通信制御部２１のＣＰＵは、図５のＮＦＣ制御処理を開始すると、Ｓ４１０で、電源回路９から第１電源電圧Ｖｃｃが供給されているか否か判断する。第１電源電圧Ｖｃｃが供給されている場合は（Ｓ４１０：ＹＥＳ）、Ｓ４２０で、シリアル通信における動作モードをスレーブに設定する。Ｓ４３０では、スマートフォンが近接されたか否か判断し、近接されたら（Ｓ４３０：ＹＥＳ）、Ｓ４４０で、スマートフォンとのＮＦＣ通信を開始したか否か判断する。スマートフォンとのＮＦＣ通信が開始されていない場合は（Ｓ４４０：ＮＯ）、Ｓ４６０に進む。スマートフォンとのＮＦＣ通信が開始された場合は（Ｓ４４０：ＹＥＳ）、Ｓ４５０で、第１通信処理を実行する。
【００８３】
Ｓ４６０では、スマートフォンが複合機１から離されたか否か判断する。スマートフォンが離されていない場合は、Ｓ４４０に戻る。スマートフォンが離された場合は（Ｓ４６０：ＹＥＳ）、Ｓ４３０に戻る。
【００８４】
Ｓ４１０で、第１電源電圧Ｖｃｃが供給されていない場合（Ｓ４１０：ＮＯ）、即ち第２電源電圧Ｖｎにより通信制御部２１が起動された場合は、Ｓ４７０で、シリアル通信における動作モードをマスターに設定する。Ｓ４８０では、制御回路２へ割り込みを発行する。Ｓ４９０では、給電回路２４で生成されている第２電源電圧Ｖｎを給電ポート２７から出力させる。
【００８５】
Ｓ５００では、スマートフォンとのＮＦＣ通信を開始したか否か判断する。スマートフォンとのＮＦＣ通信が開始されていない場合は（Ｓ５００：ＮＯ）、Ｓ５２０に進む。スマートフォンとのＮＦＣ通信が開始された場合は（Ｓ５００：ＹＥＳ）、Ｓ５１０で、第２通信処理を実行する。
【００８６】
Ｓ５２０では、スマートフォンが複合機１から離されたか否か判断する。スマートフォンが離されていない場合は、Ｓ５００に戻る。スマートフォンが離された場合は（Ｓ５２０：ＹＥＳ）、Ｓ５３０に進む。
【００８７】
Ｓ５３０では、第２電源電圧Ｖｎの外部供給を終了する。Ｓ５４０では、制御回路２へ
の割り込みを解除する。Ｓ５４０の処理の後は、Ｓ４１０に戻る。
図５のＮＦＣ制御処理によっても、図４のＮＦＣ制御処理と同等の作用効果を得ることができる。
【００８８】
（２）スマートフォン１００がかざされているか否かを制御回路２に通知する方法としてステート通知信号Ｓｔを用いることや、遮断スイッチ１０の制御方法として制御回路２からのスイッチ制御信号Ｓｓを用いることは、あくまでも一例である。これら各信号Ｓｔ、Ｓｓを用いる方法以外の他の方法で、同等の機能を実現するようにしてもよい。
【００８９】
（３）遮断スイッチ１０の制御を、制御回路２からではなく、ＮＦＣ通信部３から行うようにしてもよい。例えば、ＮＦＣ通信部３は、第２電源電圧Ｖｎの供給により動作していてＮＦＣ通信やシリアル通信を実行中、遮断スイッチ１０へスイッチ制御信号を出力してオフ状態に制御するようにしてもよい。
【００９０】
（４）ＮＦＣ通信部３から制御回路２への割り込みの発行は、実際にスマートフォン１００とのＮＦＣ通信が開始されてから終了するまでの期間に行うようにしてもよい。或いは、スマートフォン１００とのＮＦＣ通信の開始後、ＥＥＰＲＯＭ４やカートリッジＩＣ５などの通信ノードとのシリアル通信が必要と判断した場合に、その判断時から少なくともそのシリアル通信が不要となるまでの期間に行うようにしてもよい。少なくとも、ＮＦＣ通信部３と通信ノードとのシリアル通信が実行されている間には割り込みを発行するようにしてもよい。そして、そのシリアル通信の終了後は割り込みを解除するようにしてもよい。
【００９１】
（５）給電回路２４の第２電源電圧Ｖｎを外部に供給する期間や、ＮＦＣ通信部３をマスターに設定するタイミング（及びスレーブに戻すタイミング）についても、上述した、割り込みを発行する期間と同様、ＮＦＣ通信の実行状況やシリアル通信の必要性、実行状況等に応じて適宜決めることができる。
【００９２】
第２電源電圧Ｖｎは、給電回路２４で生成されている期間中は常に外部へ供給するようにしてもよい。電源回路９から第１電源電圧Ｖｃｃが供給されている場合に第２電源電圧Ｖｎを生成したり外部出力したりするか否かについては、適宜決めることができる。
【００９３】
図４に示したＮＦＣ制御処理において、Ｓ２４０で否定判定された場合に、マスター及びスレーブの切り替えや、第２電源電圧Ｖｎの外部供給の実行及び停止などを、どのタイミングで行うかについては、適宜決めることができる。
【００９４】
（６）ＮＦＣ通信部３以外の、スレーブとして動作する通信ノードとして、ＥＥＰＲＯＭ４及びカートリッジＩＣ５を示したが、これらはあくまでも一例であり、通信ノードの種類や数は特に限定されるものではない。また、これら通信ノードの全てに第２電源電圧Ｖｎを供給できるようにする必要は必ずしもない。例えば、本体電源オフ状態のときでもシリアル通信を行う必要性がある通信ノードに対しては第２電源電圧Ｖｎの供給を可能とし、本体電源オフ状態のときにシリアル通信を行う必要性がない通信ノードに対しては第２電源電圧Ｖｎを供給しないようにしてもよい。
【００９５】
（７）通信ノード間のデータ通信方式として、上記実施形態では、マスタースレーブ方式のシリアル通信を例示したが、本発明の適用は、マスタースレーブ方式に限定されるものではなく、また、シリアル通信に限定されるものでもない。
【００９６】
（８）上記実施形態では、複合機１とＮＦＣ通信可能な外部装置として、スマートフォン１００を例示したが、スマートフォン１００以外の他の外部装置（ただしＮＦＣ通信機
能を有する外部装置）であっても、スマートフォン１００と同様に複合機１とＮＦＣ通信を行うことができる。
【００９７】
（９）その他、本発明は、上記の実施形態に示された具体的手段や構造等に限定されるものではなく、本発明の要旨を逸脱しない範囲において種々の形態を採り得る。例えば、上記の実施形態の構成の一部を、同様の機能を有する公知の構成に置き換えたり、他の実施形態の構成に対して付加、置換等したり、課題を解決できる限りにおいて省略したりしてもよい。また、上記の複数の実施形態を適宜組み合わせて構成してもよい。
【符号の説明】
【００９８】
１…複合機、２…制御回路、３…ＮＦＣ通信部、３ａ…ループアンテナ、４…ＥＥＰＲＯＭ、５…カートリッジＩＣ、６…無線ＬＡＮ通信部、７…プリンタ部、８…通信回線接続部、９…電源回路、１０…遮断スイッチ、１１…メイン制御部、１２，２３…シリアル通信Ｉ／Ｆ、１３，２５，３１，４１…シリアルポート、１４，２６…主電源入力ポート、１５…割込ポート、１６…スイッチ制御ポート、２１…通信制御部、２２…ＮＦＣＩ／Ｆ、２４…給電回路、２７…給電ポート、２８…ステート通知ポート、３２，４２…電源入力ポート、１００…スマートフォン、Ｄ１…第１ダイオード、Ｄ２…第２ダイオード、Ｌ…シリアルライン。
【図１】
2015126512.tif 000003
【図２】
2015126512.tif 000004
【図３】
2015126512.tif 000005
【図４】
2015126512.tif 000006
【図５】
2015126512.tif 000007